(57)【特許請求の範囲】
【請求項１】
通信機器本体の給電部に接続されたアンテナ取付け部に一端側が取付けられるアンテナ取付け金具と、前記アンテナ取付け金具に対して折り曲げできるように一端側が前記アンテナ取付け金具の他端側に取付けられた接続金具と、前記接続金具の他端側に折り曲げ可能に取付けられたアンテナ本体と、前記アンテナ本体および前記接続金具の間を摺動できるように挿通嵌合されて前記接続金具と共に前記アンテナ取付け金具に対して前記アンテナ本体を直立に保持する直立保持具とから構成し、前記アンテナ取付け金具にプッシュボタンを設け、前記接続金具に前記プッシュボタンによって前記接続金具に出入り可能に且つばね付勢されて常時突出する係合凸部を形成すると共に、前記直立保持具に前記係合凸部が係合する切欠き部を形成し、前記係合凸部と前記切欠き部とを前記プッシュボタンの押しおよび離し操作により係合、解除可能に配置して、前記切欠き部に前記係合凸部が係合することによって前記直立保持具の前記接続金具への嵌合状態を保持するように構成したことを特徴とする折り曲げ式ロッドアンテナ装置。
【請求項２】
前記アンテナ取付け金具に、前記アンテナ本体と共に前記接続金具の軸心を中心として回転可能に取付けたことを特徴とする請求項１に記載の折り曲げ式ロッドアンテナ装置。
【請求項３】
前記アンテナ本体と前記接続金具及び前記接続金具と前記アンテナ取付け金具との折り曲げ部にそれぞれストッパ角部を設け、前記ストッパ角部によって前記アンテナ本体と前記接続金具及び前記接続金具と前記アンテナ取付け金具とが一定角度以上折り曲がらないように構成したことを特徴とする請求項１又は２に記載の折り曲げ式ロッドアンテナ装置。
【請求項４】
前記通信機器が携帯無線機であることを特徴とする請求項１乃至３のいずれか一に記載の折り曲げ式ロッドアンテナ装置。
【発明の詳細な説明】
【０００１】
【発明の属する技術】
本発明は、携帯無線機等の通信機器に使用され、不使用時に通信機器に対して折り曲げることによって収納可能とした折り曲げ式ロッドアンテナ装置に関する。
【０００２】
【従来の技術】
従来の折り曲げ式ロッドアンテナ装置は、図１７に示すように通信機器本体６の給電部に螺合固定されるアンテナ取付け金具２と、アンテナ取付け金具２に折り曲げ可能に接続された接続金具３と、接続金具３に折り曲げ可能に取付けられた伸縮可能なアンテナ本体１とから構成されている。そして、アンテナ本体１と接続金具３とは、第１の折り曲げ部３ａで折り曲げ可能に接続されている。更に、接続金具３とアンテナ取付け金具２とは、第２の折り曲げ部３ｂで折り曲げ可能に接続されている。
【０００３】
このように構成することによって、アンテナ不使用時には、アンテナ本体１を二段階に折り曲げ、通信機器本体６に沿わせって収納し、不使用時の収納性を向上している。
【０００４】
【発明が解決しようとする課題】
しかしながら、上記従来の折り曲げ式ロッドアンテナ装置においては、例えば、二段階に折り曲げて収納していたアンテナ本体１を使用時に直立させた際、アンテナ本体１に何かが不用意に接触した場合、第１の折り曲げ部３ａ或いは第２の折り曲げ部３ｂで曲がってしまい安定したアンテナ機能を発揮することができなかった。つまり、第１の折り曲げ部３ａ或いは第２の折り曲げ部３ｂで曲がってしまう為に、アンテナ本体１が安定した直立性を保持できない虞があった。
【０００５】
そこで本発明の目的は、上記の点に鑑み、使用時に不用意にアンテナ本体が折れ曲がるのを防止するに構成した折り曲げ式ロッドアンテナ装置を提供することである。
【０００６】
【課題を解決するための手段】
本発明は上記課題を解決するため、通信機器本体の給電部に接続されたアンテナ取付け部に一端側が取付けられるアンテナ取付け金具と、アンテナ取付け金具に対して折り曲げできるように一端側がアンテナ取付け金具の他端側に取付けられた接続金具と、接続金具の他端側に折り曲げ可能に取付けられたアンテナ本体と、アンテナ本体および接続金具の間を摺動できるように挿通嵌合されて接続金具と共にアンテナ取付け金具に対してアンテナ本体を直立に保持する直立保持具とから構成し、アンテナ取付け金具にプッシュボタンを設け、接続金具にプッシュボタンによって接続金具に出入り可能に且つばね付勢されて常時突出する係合凸部を形成すると共に、直立保持具に係合凸部が係合する切欠き部を形成し、係合凸部と切欠き部とをプッシュボタンの押しおよび離し操作により係合、解除可能に配置して、切欠き部に係合凸部が係合することによって直立保持具の接続金具への嵌合状態を保持するように構成したことを特徴とするものである。
【０００７】
本発明によれば、アンテナ本体の使用時に、直立保持具によって接続金具とともにアンテナ本体が安定して直立状態に保持されて、不用意に折曲されることがなく、常時アンテナ本体の送受信機能を最適に発揮させることができる。
【００１５】
また本発明によれば、切欠き部に係合凸部が係合することによって直立保持具の接続金具への嵌合状態を保持することができ、この結果、直立保持具が不用意に移動することがなく、アンテナ本体の直立性の保持を益々安定したものにできる。
【００１６】
また本発明は、アンテナ取付け金具に、アンテナ本体と共に接続金具を軸心を中心として回転可能に取付けたことを特徴とするものである。
【００１７】
本発明によれば、アンテナ本体をアンテナ金具に対して回転させることによって、アンテナ本体の通信機器本体への収納時に、通信機器本体の設置場所によって都合のよい方向を選択して、収納することができる。
【００１８】
また本発明は、アンテナ本体と接続金具及び接続金具とアンテナ取付け金具との折り曲げ部にそれぞれストッパ角部を設け、ストッパ角部によってアンテナ本体と接続金具及び接続金具とアンテナ取付け金具とが一定角度以上折り曲がらないように構成したことを特徴とするものである。
【００１９】
本発明によれば、アンテナ本体は接続具に対して、また接続具はアンテナ取付け金具に対して一定角度しか折り曲がらないことになって、アンテナ本体を収納時等のように折り曲げた状態から直立状態に伸ばす場合に、短時間で伸ばすことができる。
【００２０】
また本発明におけるストッパー部は、アンテナ本体と接続金具及び接続金具とアンテナ取付け金具がそれぞれ一方向にのみ折り曲げ可能となるように構成するように、逆曲げ防止機構付きのストッパーであることを特徴とするものである。
【００２１】
本発明によれば、アンテナ本体の折り曲げに方向性を持たせることにより、アンテナ本体の収納時に逆方向に折れ曲がらないようにして、収納作業をやりやすくしている。
【００２２】
また本発明は、通信機器が携帯無線機であることを特徴とするものであり、携帯性の高い携帯無線機において、不使用時の携帯性をますます高めることができる。
【００２３】
【発明の実施の形態】
以下に、本発明に係る折り曲げ式ロッドアンテナ装置の実地の形態について、図面を参照しながら詳細に説明する。
【００２４】
図１は、本発明に係る第１の実施の形態におけるアンテナ本体を折り曲げ可能にした状態を示す正面図である。
【００２５】
第１の実施の形態によれば、通信機器本体１２の給電部には、アンテナ取付け部１２ａが接続されており、アンテナ取付け部１２ａには、アンテナ取付け金具１３の一端側がネジ部１３ｃを螺合することにより取付けられている。
【００２６】
アンテナ取付け金具１３の他端側には、ビス１５を介して折り曲げ可能に接続金具１１の一端側が取付けらており、接続金具１１の他端側はビス１４を介して折り曲げ可能にアンテナ本体１０の一端側が取付けられている。そして、アンテナ取付け金具１３の外周部には、スプライン溝１３ｂが形成されていて、アンテナ取付け金具１３を通信機器本体１２のアンテナ取付け部１２ａに螺合する際に螺動させやすくしている。
【００２７】
更に詳細に説明すると、アンテナ本体１０は、アンテナキャップ１０ａが被せられた先端部に行くに従って徐々に細くなるようなテーパー状を呈する直状棒体により形成されており、接続金具１１を介してアンテナ取付け金具接続金具１３に接続している。
【００２８】
接続金具１１の一端部側には、アンテナ本体１０に形成した取付け片１０ｂがビス１４を介して折り曲げ可能に取付けられて、折り曲げ部を構成しており、接続金具１１の他端部側には、アンテナ取付け金具１３に形成した取付け片１３ａがビス１５を介して折り曲げ可能に取付けられて、折り曲げ部を構成している。
【００２９】
この結果、アンテナ本体１０は、接続金具１１対してビス１４を中心に、直立状態から略９０°折り曲げ可能と連結されており、また、接続金具１１は、アンテナ取付け金具１３に対してビス１５を中心に、通信機器本体１２に当接するまで更に略９０°折り曲げ可能に連結されている。
【００３０】
アンテナ本体１０には、直立保持具１６が摺動可能に嵌合し、直立保持具１６は、アンテナ取付け金具１３に当接するまでアンテナ本体１０の下方に摺動させることによって、接続金具１１に挿通嵌合して覆い、アンテナ本体１０を、接続金具１１と共にアンテナ取付け金具１３に対して直線状に保持するように構成している。
【００３１】
次に、図２乃至図９を用いて、第１の実施の形態におけるアンテナ本体１の使用状態から通信機器２側への収納状態にし、再び使用状態にするまでの過程を説明する。
【００３２】
先ず、アンテナ本体１０が使用状態の場合には、図２に示すように、直立保持具１６がアンテナ取付け金具１３に当接した状態でアンテナ本体１０と共に接続金具１１および両取付け片１０ｂ，１３ａを覆って、アンテナ本体１０を接続金具１１に対して、また接続金具１１をアンテナ取付け金具１３に対して折り曲げできないようにして、アンテナ本体１０および、接続金具１１をアンテナ取付け金具１３に対して直立状態を保持して、アンテナ本体１０の不用意な折り曲げができないようになっている。
【００３３】
図２に示す状態から、先ず、アンテナ本体１０を通信機器本体１２側に収納する場合は、直立保持具１６をアンテナ本体１０側に摺動させて、両取付け片１０ｂ，１３ａと共に接続金具１１を表出させる（図３に示す状態）。
【００３４】
次に、図４に示すように、アンテナ本体１０をビス１４を中心に接続金具１１に対して徐々に折り曲げて行き、図５に示すように、取付け片１０ｂが接続金具１１に当接した状態で、略９０度折り曲げられることになる。
【００３５】
次に、接続金具１１をビス１５を中心にアンテナ取付け金具１３に対して折り曲げて行き、接続金具１１がアンテナ取付け金具１３に当接した状態で、略９０度折り曲げられることになる（図６の状態）。
【００３６】
この結果、アンテナ本体１０は、通信機器本体１２の側方に沿うように収納されることになる。
【００３７】
次に図６に示すアンテナ本体１０の収納状態から、再び使用状態にするには、図７に示すように、先ず、アンテナ本体１０と共に接続金具１１を元に戻すようにビス１５を中心にして矢印方向に折り曲げる（図８に示す状態）。
【００３８】
この状態から、次に、アンテナ本体１０を元に戻して図９に示すようにビス１４を中心にして折り曲げて行き、図３に示すように、アンテナ取付金具１３に対して、接続金具１１およびアンテナ本体１０を直立状態にする。
【００３９】
次に、直立保持具１６をアンテナ本体１０とともに接続金具１０および両取付け片１０ｂ，１３ａに被せて、図２に示す状態にすることにより、アンテナ本体１０を使用状態に戻すことになる。
【００４０】
図１０は、本発明に係る第２の実施の形態を示すもので、直立保持具を断面にしてアンテナ本体を折り曲げ可能にした状態を示す正面図である。
【００４１】
図１０において、アンテナ本体１０は、本体部１０1と複数個のロッド部１０2とから構成し、ロッド部１０2を本体部１０1に対して収納／取り出しすることにより、その軸線方向に複数段伸縮可能となるようにアンテナ本体伸縮機構を備えている。このように構成した場合、アンテナを使用しない時に短くしてその収納性を向上させ、使用時には長くしてアンテナ性能を向上させることができる。
【００４２】
また、第２の実施の形態においては、アンテナ本体１０の下端近傍周部には、環状の抜け止め突起１０ｃが形成されている。抜け止め突起１０ｃは、直立保持具１６の底部フランジ１６ａに当接して、直立保持具１６がアンテナ本体１０のアンテナキャップ１０ａ側に必要以上に移動して抜け落ちるのを防止している。
【００４３】
第２の実施形態におけるアンテナ本体１０と接続金具１１或いは接続金具１１とアンテナ取付け金具１３との接続等の構成は、第１の実施の形態と同様であるので、詳細な説明は割愛する。
【００４４】
図１１は本発明に係る第３の実施の形態を示すもので、直立保持具を断面にしてアンテナ本体を折り曲げ可能にした状態を示す正面図である。
【００４５】
第３の実施の形態においても、第２の実施の形態と同様に、アンテナ本体１０を本体部１０1と本体部１０1に対して収納／取り出し可能なロッド部１０2とで構成した複数段伸縮可能なアンテナ本体伸縮機構付きとなっており、また、直立保持具１６が筒状に形成されている。
【００４６】
ただ、直立保持具１６の下端内周部には、雌ネジ部（不図示）が螺設されており、アンテナ取付け金具１３側の取付け片１３ａに螺設した雄ネジ部１３ｃに螺合するように構成されており、直立保持具１６の雌ネジ部を取付け片１３ａの雄ネジ部１３ｃに螺合することにより、直立保持具１６を取付け片１３ａを介してアンテナ取付け金具１３に固定して、直立保持具１６が不用意に移動することを防止し、アンテナ取付け金具１３に対する接続具１１の直立状態および接続金具１１に対するアンテナ本体１０に直立状態を益々安定的に保持するようになっている。そして、直立保持具１６は螺動しやすくするために下端部にスプライン溝部１６ａが形成されている。
【００４７】
図１２は、本発明に係る第４の実施の形態におけるアンテナ本体を折り曲げ可能にした状態を示す正面図である。
【００４８】
図１２によれば、直立保持具１６の下端には、筒状のエプロン片１７が回転可能にしかも抜け止めされて嵌合されており、エプロン片１７には、その下端部に開口する直状の係合凹部１７ａと係合凹部１７ａの上端部を鉤状に連続させて形成したロック溝部１７ｂとが形成されている。
【００４９】
また、アンテナ取付け金具１３側の取付け片１３ａには、係合凹部１７ａおよびロック溝部１７ｂに係合する係合凸部１８が設けられている。
【００５０】
そして、直立保持具１６を、矢印Ｙ方向に摺動させながら矢印Ｘ方向に回転させることによって、係合凹部１７ａを係合凸部１８に対応させて係合させ、更に矢印Ｘ方向に回転させることにより、係合凸部１８をロック溝部１７ｂに係合させる。
【００５１】
この結果、直立保持具１６は、ビス１４，１５と共に、接続金具１１およびアンテナ取付け金具１３を覆うことによって、アンテナ取付け金具１３に対する接続金具１１の直立状態および接続金具１１に対するアンテナ本体１０の直立状態を保持するようになっている。
【００５２】
そして、アンテナ取付け金具１３に対する接続金具１１の直立状態および接続金具１１に対するアンテナ本体１０の直立状態は、係合凸部１８がロック溝部１７ｂに係合することによって、直立保持具１６が不用意に移動することを防止されていることから、益々安定的に保持されることになる。
【００５３】
また、係合凸部１８をロック溝部１７ｂおよび係合凹部１７ａから取り外す場合には、先ず直立保持具１６と共にエプロン片１７を矢印Ｘ方向とが逆方向に回転させ、更に矢印Ｙ方向とは逆方向すなわちアンテナ本体１０側に摺動させてることになる。
【００５４】
このように、係合凸部１８とロック溝部１７ｂおよび係合凹部１７ａとの係合及び取外しは、直立保持具１６を回転および摺動させるだけで行えることができ、直立保持具１６の固定および取外し作業が容易に行えることになる。
【００５５】
図１３は、本発明に係る第５の実施の形態におけるアンテナ本体を折り曲げ可能にした状態を一部断面して示す正面図である。
【００５６】
前記第４の実施の形態においては、係合凸部１８の係合凹部１７ａに連続して形成されたロック溝部１７ｂへの係合により、直立保持具１６を固定していたが、第５の実施の形態では、接続金具１１側の係合片２０を直立保持具１６側の切欠き部２２に係合することによって行っている。
【００５７】
すなわち、図１３において、接続金具１１には、取付け片１３ａ側に設けたプッシュボタン２１の押動操作に連動して、接続金具１１内に引っ込むように、係合片２０が設けられており、係合片２０は、常時突出方向にばね付勢されている。
【００５８】
また、直立保持具１６には、係合片２０が係合する切欠き部２２が形成されており、係合片２０は、直立保持具１６の下端に当接した後直立保持具１６の内壁を摺動して、切欠き部２２に係合するように構成されており、係合片２０は、直立保持具１６の下端に当接した際に容易に引っ込むようにするために、略中央部側から上端側にかけて接続具１１側に傾斜するように、斜めカット部２０ａが形成されている。
【００５９】
このように構成する第５の実施の形態においては、図１３に示す状態から、直立保持具１６を接続金具１１および取付け片１３ａに被せるために引き降ろしてくる際、直立保持具１６の下端が先ず係合凸部２０の斜めカット部２０ａに当接する。これによって、係合凸部２０が接続金具１１内に一旦引っ込み、直立保持具１６の内壁を摺動しながら、切欠き部２２に対向した時点で、ばね作用により再度突出し、切欠き部２２に係合して、直立保持具１６を自動的に固定する。
【００６０】
また、直立保持具１６の解除時には、プッシュボタン２１を押すことにより、係合凸部２０を一旦引っ込めて切欠き部２２との係合を解いた後、直立保持具１６をアンテナ本体１０側に引き上げることになる。
【００６１】
したがって、直立保持具１６の固定およびその解除操作は、プッシュボタン２１の押動操作によって行うことができることから、非常に簡易な作業となる。
【００６２】
図１４は、図１に示す第１の実施の形態を一部変形した第６の実施の形態を一部断面して描画した正面図である。
【００６３】
図１４に示した第６の実施の形態によれば、アンテナ本体１０は、第２の実施の形態等と同様に、アンテナ本体伸縮機構を備えて構成している。
【００６４】
更に、取付け片１３ａがアンテナ取付け金具１３に対して、アンテナ本体１０の軸心を中心に回転できるように構成すべく、取付け片１３ａの外周に、環状凹溝２６を形成し、環状凹溝２６が摺動可能に嵌合する環状凸部１３ｅをアンテナ取付け金具１３に形成している。
【００６５】
したがって、アンテナ取付金具１３に対して、接続金具１１およびアンテナ本体１０を回転することによって、通信機器本体１２の設置場所によって都合のよい方向を選択して、収納することができ、通信機器本体１２の設置性を向上させることができる。
【００６６】
図１５は、本発明に係る第７の実施の形態を示すもので、アンテナ取付け金具に対してアンテナ本体および接続金具を折り曲げた状態における接続金具付近を拡大して示す正面図である。
【００６７】
第７の実施の形態によれば、接続金具１１と取付け片１０ｂとが重合する折り曲げ部は、凹凸形状となっており、アンテナ本体１０が接続金具１１に対して一定角例えば直線状になる箇所で止まるように構成するために、取付け片１０ｂ側に、接続金具１１に当接するストッパ角部２４が形成されており、ストッパ角部１４がアンテナ本体１０を接続金具１１に対して逆曲げ機構を構成している。
【００６８】
また、接続金具１１と取付け片１３ａとが重合する折り曲げ部は、凹凸形状となっており、接続金具１１がアンテナ取付け金具１３に対して折り曲げ角度が一定角例えば直角になる箇所で止まるように構成するために、接続金具１１側に、取付け片１３ａに当接するストッパ角部２５が形成されており、ストッパ角部１５が接続金具１１をアンテナ取付け金具１３に対して逆曲げ機構を構成している。
【００６９】
したがって、アンテナ本体１０は接続具１１に対して、また接続具１１はアンテナ取付け金具１３に対して一定角度しか折り曲がらないことになって、アンテナ本体１０を収納時等のように折り曲げた状態から直立状態に伸ばす場合に、短時間で伸ばすことができる。
【００７０】
図１６は上記第１の実施の形態を採用した携帯無線機の正面図である。
【００７１】
図１６において、アンテナ取付け金具１３は携帯無線機２７に取付けられており、アンテナ取付け金具１３に対して、接続金具１１を略９０度に折り曲げ、また接続金具１１に対してアンテナ本体１０を略９０度に折り曲げることによって、アンテナ本体１０を携帯無線機２７の側壁に沿わせて収納している。
【００７２】
したがって、本実施の形態によれば、アンテナ本体１０の使用時に、直立保持具１６がアンテナ本体１０と共に接続具１１および取付け片１３ａに被さることによって、アンテナ本体１０或いは接続具１１の携帯無線機２７に対する直立性が保持され、不用意に折り曲がることがなく、常に最適なアンテナ性能を発揮することができる。
【００７３】
【発明の効果】
本発明によれば、アンテナ本体の使用時に直立保持具によって接続金具とともにアンテナ本体が安定して直立状態に保持されて、不用意に折曲されることがなく、常時アンテナ本体の送受信機能を最適に発揮させることができる。
【図面の簡単な説明】
【図１】本発明に係る第１の実施の形態におけるアンテナ本体を折り曲げ可能にした状態を示す正面図
【図２】図１における第１の実施の形態の動作を説明するもので、アンテナ本体の使用時を示す説明図
【図３】同じく、アンテナ本体を収納すべく直立保持具をアンテナ本体側に移動した状態を示す説明図
【図４】同じく接続金具に対してアンテナ本体を折り曲げる途中を示す説明図
【図５】同じく接続金具に対してアンテナ本体を略９０度折り曲げた状態を示す説明図
【図６】同じく接続金具をアンテナ取付け金具に対して略９０度折り曲げて、アンテナ本体を通信機器に収納した状態を示す説明図
【図７】同じくアンテナ本体の収納時から使用状態にする寸前の状態を示す説明図
【図８】同じく接続金具に対してアンテナ本体を折り曲げて、直立状態にした場合の説明図
【図９】同じく接続金具をアンテナ取付金具に対して直立にしてアンテナ本体を使用状態にする途中を示す説明図
【図１０】本発明に係る第２の実施の形態におけるアンテナ本体を折り曲げ可能にした状態を示す正面図
【図１１】本発明に係る第３の実施の形態におけるアンテナ本体を折り曲げ可能にした状態を示す正面図
【図１２】本発明に係る第４の実施の形態におけるアンテナ本体を折り曲げ可能にした状態を示す正面図
【図１３】本発明に係る第５の実施の形態におけるアンテナ本体を折り曲げ可能にした状態を一部断面して示す正面図
【図１４】本発明に係る第６の実施の形態におけるアンテナ本体を折り曲げ可能にした状態を示す正面図
【図１５】本発明に係る第７の実施の形態を示すもので、アンテナ取付け金具に対してアンテナ本体および接続金具を折り曲げた状態における接続金具付近を拡大して示す正面図
【図１６】図１に示す第１の実施の形態を採用した携帯無線機の正面図
【図１７】従来における折り曲げ式ロッドアンテナ装置を示す正面図
【符号の説明】
１０        アンテナ本体
１０ｂ      取付け片
１１        接続金具
１２        通信機器本体
１２ａ      アンテナ取付部
１３        アンテナ取付け金具
１３ａ      取付け片
１４、１５  ビス
１６        直立保持具
１７        エプロン片
１７ａ      係合凹部
１７ｂ      ロック溝部
１８        係合凸部
２０        係合片
２１        プッシュボタン
２２        切欠き部
２４、２５  ストッパ角部
２７        携帯無線機
【図１】
0004306935.tif 000002
【図２】
0004306935.tif 000003
【図３】
0004306935.tif 000004
【図４】
0004306935.tif 000005
【図５】
0004306935.tif 000006
【図６】
0004306935.tif 000007
【図７】
0004306935.tif 000008
【図８】
0004306935.tif 000009
【図９】
0004306935.tif 000010
【図１０】
0004306935.tif 000011
【図１１】
0004306935.tif 000012
【図１２】
0004306935.tif 000013
【図１３】
0004306935.tif 000014
【図１４】
0004306935.tif 000015
【図１５】
0004306935.tif 000016
【図１６】
0004306935.tif 000017
【図１７】
0004306935.tif 000018